Podtech/llm-jp-corpus-v4-ja_patent huggingface dataset:
(57)【要約】      （修正有）【課題】プラスチック容器ガスライターを主対象とする器具で、手軽に廃棄時のガス抜きが行えるようにする。【解決手段】開放側を上向きにした略Ｃ字形、または略Ｏ字形を成す枠の片側にメネジを形成させ、このメネジに先端を三角錐または四角錐状に成形したオネジ３を外側からねじ込む。オネジの外側端には手回し具５が付き、枠の他側はガスライター１の支えとなる。中央部の空間にガスライターを置いて手または板スプリングで保持し、手回し具で錐をガスライター容器の壁面にねじ込むことにより穴を開け、中のガスを放出し抜き取る。【選択図】図１
0003133780.tif 000002
【実用新案登録請求の範囲】
【請求項１】
略Ｃ字形または略Ｏ字形を成すガスライター保持体の片側にメネジを形成させ、このメネジにオネジを外側からねじ込む構造を持ち、該オネジの内方の先端は鋭い三角錐または四角錐状を成して、オネジの外方の端には手回し具が付き、略Ｃ字形または略Ｏ字形の他側はガスライターの支えとなり、中央の空間にはガスライターを置いて該三角錐または四角錐にてガスライターの容器に穴を開け、中のガスを放出する構造をもつガスライター用ガス抜き器。
【請求項２】
請求項１のガス抜き器において、ガスライターを押えて保持するための板スプリングを備えたガスライター用ガス抜き器。
【考案の詳細な説明】
【技術分野】
【０００１】  本考案はプラスチック容器を主材料とするほぼ使い終わったガスライターを廃棄しようとする場合に、プラスチック容器の側面に穴を開けて内部ガスを抜くためのガス抜き器具に関するものである。
【背景技術】
【０００２】  スプレー缶等のガス抜き用には強く握ることにより釘状の針を缶体に突き刺して残留ガスを抜く器具が既に市販されており、また背景技術として下記のような公報文献がある。
【公報文献１】
登録実用新案第３０５４５２５号公報
【公報文献２】
実用新案公開平０６−０６１３２０公報
市販品を含めいずれもスプレー缶等を対象としたものであり、比較的肉厚が厚く形が小さいプラスチック容器ガスライターに適するものではない。
プラスチック容器ガスライターは廃棄時にガス抜きを要求されているにもかかわらず、従来適当なガス抜き器具がなく人により様々な方法で行われていて、中にはそのまま廃棄されるものもあった。
【考案の開示】
【考案が解決しようとする課題】
【０００３】  本考案はプラスチック容器ガスライターを主対象とする器具で、手軽に廃棄時のガス抜きが行えるようにするためのものである。
【課題を解決するための手段】
【０００４】  この課題を解決するための手段は、開放側を上向きにした略Ｃ字形、または略Ｏ字形を成す枠の片側にメネジを形成させ、このメネジに先端を三角錐または四角錐状に成形したオネジを外側からねじ込む。該オネジの外側端には手回し具が付き、枠の他側はガスライターの支えとなる。中央部の空間にガスライターを置いて手または板スプリングで保持し、手回し具で錐をガスライター容器の壁面にねじ込むことにより穴を開け、中のガスを放出し抜き取る。
【考案の効果】
【０００５】  本考案により、従来適当なガス抜き器具がなくて、ガス抜きが不充分なまま廃棄されていたプラスチック容器ガスライターに対し、容易で完全なガス抜きが可能になる。
【考案を実施するための最良の形態】
【０００６】  図１は本考案の略Ｃ字形枠を持つガスライターガス抜き器の側面図である。図において１はガスライター、２は略Ｃ字形枠を示す。３はオネジ、４は三角錐または四角錐部、５は手回し具を示す。片手で略Ｃ字形枠およびガスライターを保持し、別の手で手回し具を回して、錐をガスライター壁面に当ててねじ込み、壁面にガス放出用の穴を開ける。【０００７】  図２は本考案の略Ｏ字形枠を持つガスライターガス抜き器の側面図である。図において６が略Ｏ字形枠である。図１と同様に片手で略Ｃ字形枠およびガスライターを保持し、別の手で手回し具を回して、錐をガスライター壁面に当ててねじ込み、壁面にガス放出用の穴を開ける。【０００８】  図３はガスライターを押えて保持するための板スプリングを備えたガスライター用ガス抜き器の例を示す側面図である。図において７は板スプリングを示し、８は板スプリングを補助するコイルスプリングを示す。９は握り棒を示し略Ｃ字形枠の裏側に設置してガスライターの保持を助けると共に器具を片手で握り易くするためのものである。【０００９】  図４は図３の器具を上方から見た平面図である。図の１０はガスライター支持用の補助体を示している。
【図面の簡単な説明】
【００１０】
【図１】  略Ｃ字形枠を持つガスライターガス抜き器の側面図である。
【図２】  略Ｏ字形枠を持つガスライターガス抜き器の側面図である。
【図３】  ガスライターを押えて保持するための板スプリングを備えたガスライター用ガス抜き器の例を示す側面図である。
【図４】  図３の器具を上方から見た平面図である。
【符号の説明】
【００１１】    １    ガスライター
２    略Ｃ字形枠
３    オネジ
４    三角錐または四角錐部
５    手回し具
６    略Ｏ字形枠
７    板スプリング
８    板スプリングを補助するコイルスプリング
９    握り棒
１０    ガスライター支持用の補助体
【図１】
0003133780.tif 000003
【図２】
0003133780.tif 000004
【図３】
0003133780.tif 000005
【図４】
0003133780.tif 000006
(57)【要約】【課題】  本考案は、制帽等を着用した場合、暑さと湿気により汗が腐敗し、毛根を痛め、制帽内に貼付した、ビニ−ルシ−トに静電気で、毛髪が薄く成る事を防ぐため、お茶ガラ等の抗菌成分を、焙煎粉末化し、綿等に、−イオンを浸透し、吸収ポリマ−に、化学糊を使用付着し、圧縮パットを作り、制帽等の内部の、汗と湿気と匂いを吸収し、静電気を発散する、吸湿抗菌パットの提供。【解決手段】  本考案は、２の、綿等に、お茶ガラ等を浸透、お茶ガラを加熱粉末化し、３の、化学糊を、吸収ポリマ−に付着、４の、綿等に浸透付着して圧縮、吸湿抗菌パットを、楕円形に形成二分割連結し、５の、制帽の前額部に当たる部分を形成し、静電気を発散し、制帽の、圧縮パットは、面ファスナ−両面接着テ−プ等で、接着使用する、吸湿抗菌パットの提供。【選択図】図１
0003133776.tif 000002
【実用新案登録請求の範囲】
【請求項１】
本考案は、制帽等を着用の際に制帽内上部に装着した、ビニ−ル等のシ−トに依り、内部が汗と熱で蒸れ頭部の静電気が、帯電蓄積され、毛髪、毛根が痛み毛髪か薄く成る事を防ぐため、綿等に、お茶ガラ等を強く焙煎、粉末化した、一部分が炭化する事で、静電気の帯電を発散して、吸収ポリマ−に、ＣＭＣ系化学糊と、−イオン水を混入付着し、不織布を使用し、楕円形の圧縮パットを作り、頭頂部に馴染む様に、制帽に使用する吸湿パットは、二分割、連結し、装着し、汗と湿気を吸収し、汗の腐敗と静電気に依る、毛根の傷みを、お茶の成分等の、抗菌作用に依り抑制し、汗と匂いを抗菌パットに依り、毛根毛髪を保護、汗の腐敗を抑制し、内部を脱臭する事を特徴とする、制帽等に装着する吸湿抗菌パット。
【考案の詳細な説明】
【技術分野】
【０００１】    本考案は、職務上、制帽、職務上、常時着用する人の、頭部内が汗で蒸れ毛根が傷み、毛髪が薄くなる事を防ぎ、静電気を吸収発散し、汗と匂いを吸湿抗菌パットに依る、お茶ガラ等の成分と、−イオンの、抗菌作用で汗の腐敗を抑制し、毛根毛髪を保護する、吸湿抗菌パットに関する。
【背景技術】
【０００２】  従来の、制帽は内部に、ビニ−ル等の、シ−トが貼付して有るため静電気が帯電し、汗が腐敗して、毛根が傷み、内部が臭く成り、毛髪が薄く成りやすい汗が発散せず、以上の問題を、防止するために、考えたもの。
【考案の開示】
【考案が解決しようとする課題】
【０００３】本考案は、制帽に装着する、吸湿抗菌パッを作るため、吸収ポリマ−に、お茶ガラ等を乾燥焙煎し粉末化、不織布で包んだ圧縮パットの、抗菌成分に依り、汗を吸収し防臭抗菌効果で汗の腐敗を抑制、ＣＭＣ系化学糊に、−イオン水を加え、綿等を圧縮した、楕円形のパットを作り、静電気の発生を抑制し、防臭抗菌効果を得る、吸湿抗菌パットは、二分割連結し、制帽等に使用する事で、前述の課題を解決するために考案した。
【課題を解決するための手段】
【０００４】  本考案は、制帽を着用の際、汗が腐敗臭くなる、制帽に貼付のビニ−ル等のシ−トに、帯電した、静電気で毛根が傷み、毛髪が薄く成る事を、防ぐため、お茶ガラ等を強く焙煎粉末化し、ＣＭＣ系化学糊に、−イオンを加えて綿等の圧縮パットに付着し、不織布で楕円形に形成、制帽に装着するパットは二分割連結し、お茶ガラ等を焙煎粉末化炭化した、一部分が静電気を発散する効果で帯電防止する事が出来、前述の課題を解決する。
【考案の効果】
【０００５】制帽等を、職務上長時間装着すると、内部の頭頂部に当たる部分に、ビニ−ル等の、シ−トが貼付して居るので、静電気が蓄積帯電し、頭部に汗が出た場合汗が腐敗毛根を痛めて、静電気に依り毛髪が薄くなり、内部が臭く成る事を、防止するための、吸湿抗菌パットは、吸収ポリマ−に、ＣＭＣ化学糊を使用し綿等を圧縮付着し、不織布の布で包み、楕円形に形成、制帽は二分割、連結し着用する、制帽を着用の際に、お茶ガラ等の、一部が炭化する程度に、加熱、焙煎粉末化して使用する事により、静電気を発散して、帯電を防ぐ事が出来るＣＭＣ系化学糊を、吸収ポリマ−に付着使用したものに、−イオン水を加え、吸湿パットに付着浸透し、圧縮乾燥して、静電気帯電防止剤、芳香液等を付着浸透し使用する事で、効果を増す事が出来、職務上長時間、制帽等を着用する現場の職員の、頭部の毛根毛髪を、保護する、抗菌吸収パットの提供。
【考案を実施するための最良の形態】
【０００６】本考案の、制帽等に使用する吸湿抗菌パットは、制帽の内部上面に、ビニ−ル等のシ−トが貼付して有るので、長く着用して居ると汗が腐敗し、毛根が傷みビニ−ル等のシ−トに、静電気が帯電し、毛髪が薄く成る事を防ぐため、吸収ポリマ−に、お茶ガラ等を乾燥し、部分的に炭化する程度に、強く焙煎粉末化ＣＭＣ化学糊に、−イオ水を混入し、吸収ポリマ−、綿等に吸収付着し、不織布の布で包み、楕円形に形成した圧縮パットを、制帽等に使用する際に、前額部に当たる様に、二分割、連結し装着し、汗の腐敗を防ぎ、毛根と毛髪を保護する、吸湿抗菌パットを提供する。
【実施例】
【０００７】以下、貼付図面に従って、実施例を説明する。１は制帽内上面に、接着テ−プ等で装着する、綿等に、２、のお茶ガラを焙煎し、粉末化した、３の、ＣＭＣ化学糊に、−イオン水を混入吸収ポリマ−に付着、４の、綿等の圧縮パットを不織布で包み、楕円形に形成し、パットの前額部に当たる部分、５の部分を、二分割、連結、制帽内に貼付の、制帽に貼付して有る、ビニ−ルシ−トに帯電した、静電気を吸収し汗の腐敗に依る、毛根の傷みと、毛髪の薄くなる事を、防ぐ効果が有り、吸湿抗菌消臭効果の有る、吸湿抗菌パットの提供。【０００８】制帽等に、装着する方法として、６の、両面接着テ−プ、面ファスナ−等を、７の、ビニ−ルシ−ト等に接着使用する、吸湿抗菌パットの提供。
【産業上の利用可能性】
【０００９】本考案は、職務上、制帽等を、着用する現場の職員が、頭部の汗に依り毛根が汗の腐敗、静電気の帯電等に依り傷み、毛髪が薄く成る事を防ぎ、匂いを吸収する事が出来る、制帽の、内面に装着する事に依って、上述の問題を解決するための、制帽に装着する吸湿抗菌パットの提供。
【図面の簡単な説明】
【００１０】
【図１】  制帽に吸湿抗菌パットを装着した透視図、
【図２】  制帽に装着する吸湿抗菌パットの平面図、
【符号の説明】
【００１１】  １      お茶ガラの抗菌成分を吸収ポリマ−、綿等に浸透付着したもの、
２      お茶ガラを強く焙煎し粉末化したもの、
３      ＣＭＣ化学糊に−イオン水を混入吸収ポリマ−に付着したもの、
４      不織布で包んだ綿等の圧縮パットを楕円形に形成したもの、
５      楕円形の圧縮パットを二分割し前額部に当たる部分、
６      制帽に圧縮パットを接着する面ファスナ−又は両面テ−プ、
７      制帽の内面に貼付されたビニ−ル等のシ−ト、
【図１】
0003133776.tif 000003
【図２】
0003133776.tif 000004
(57)【要約】      （修正有）【課題】アナグリフと呼ばれる立体写真技術で撮影された絵柄を印刷されたクリアホルダーと、それを見ることの出来るメガネを一体化したものである。また、印刷により宣伝広告効果を得ることが出来るノベルティーとして使用することができる。【解決手段】クリアホルダーＦに抜き加工の際に入れたミシン目２によって付けたメガネ部ｅを設けることと、そのメガネ部を使用してクリアホルダー部に立体表現で印刷された絵柄を見ることができる。且つ立体に見えるためのメガネ部は印刷されているため、商品として作成する工程を容易にすることができる。また、印刷を施すことにより宣伝広告効果をより高められるクリアホルダーになる。【選択図】図１
0003133771.tif 000002
【実用新案登録請求の範囲】
【請求項１】
クリアホルダーの一辺に青色と赤色で印刷された、切取れる任意のタグを設け、クリアホルダー表面にはアナグリフと呼ばれる立体写真技術で撮影された絵柄を印刷し、任意のタグをメガネとして切り取って使用することで印刷された絵柄が立体的に見えることを可能にする形状を有するメガネ付きクリアホルダー。
【請求項２】
前記の仕様で、表裏一体のシートにおいてタグとして使用できる部位の切り離す分離線が、ミシン目によって形成されたものであることを特徴とする請求項１記載のタグ付きクリアホルダー。
【考案の詳細な説明】
【技術分野】
【０００１】  本考案は主として、フイルムシート材料に対して多目的に使用できる利便性の高いノベルティー商品に関する。
【背景技術】
【０００２】  従来のクリアホルダーは、クリアホルダーとしてだけの使用方法しかなく、絵柄も平面での表現しかできなかった。【０００３】  従来あるアナグリフと呼ばれる立体写真技術で撮影された絵柄を印刷された印刷物にはメガネとなる部位が必要だが、印刷で表現するのが難しかったため地の色が青色や赤色のものを使用していた。
【考案が解決しようとする課題】
【０００４】  本考案は、クリアホルダーとして使用できるだけでなく、クリアホルダーの一部にアナグリフと呼ばれる立体写真技術で撮影された絵柄を印刷された印刷物用のメガネの機能が付いた任意のタグを付け、クリアホルダーにはそのメガネを介して立体に見える印刷を施すことにより、クリアホルダーとメガネが一体となったノベルティーを作成することができる。また、印刷を施すことにより宣伝広告効果を得ることができる。
更にメガネ付きクリアホルダーの材料シートの素材を再生樹脂材料もしくはトウモロコシ等から製造されるＰＬＡ《ポリ乳酸》を主原料としたプラスチック材料を使用して環境に優しい商品として作成することもできる。
【課題を解決するための手段】
【０００５】  本考案は、クリアホルダーにメガネの機能を付けた印刷物である。クリアホルダー部にはアナグリフと呼ばれる立体写真技術で撮影された絵柄を印刷し、クリアホルダーの一辺にその絵柄を立体的に見ることが出来る印刷を施したメガネをタグとしてつける。それによりクリアホルダーとメガネ部が一体化し、一辺でつながっているクリアホルダーとメガネ部をミシン目にすることにより簡単に切取って使用することができる。
また、材料シートに宣伝広告印刷を施すことにより、より高い宣伝広告効果を出すことができる。
【考案の効果】
【０００６】  本考案は、クリアホルダーにアナグリフと呼ばれる立体写真技術で撮影された絵柄を印刷し、クリアホルダーの側面にそれを見るためのめがね部を設けることにより絵柄とそれを見るためのメガネ部が一体化し、作成工程も簡略化できる効果がある。
且つ、シートに印刷されることによって宣伝広告用クリアホルダーとして使用することが可能である。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【考案を実施するための最良の形態】
【０００７】  図１は本考案のメガネ付きクリアホルダー（Ｆ）の視図である。図１でメガネ付きクリアホルダー（Ｆ）の左辺（ａ）は山折になっており、底辺（ｂ）は圧着されている。そのため左辺（ａ）と底辺（ｂ）は閉じた状態になっている。上辺（ｄ）と右辺（ｃ１）、（ｃ２）は開口しているため、ここから書類等を出し入れすることができる。右辺（ｃ２）に付いている部位がメガネ部（ｅ）であり、右辺（ｃ２）とはミシン目（２）で付いている。
メガネ付きクリアホルダーの表面（１）にはアナグリフと呼ばれる立体写真技術で撮影された絵柄が印刷されており、右辺（ｃ２）を用いることで絵柄を立体的に見ることができる。
メガネ付きクリアホルダー（Ｆ）の右辺（ｃ２）についているメガネは抜き加工の工程で付けたミシン目があるため容易に切り離すことができる。表面（１）に施されたアナグリフと呼ばれる立体写真技術で撮影された絵柄を印刷された印刷物を見る際には、メガネ部（ｅ）を切り離して使用することができる。立体に見えるためのメガネ部は印刷で表現されているため一体化したメガネ付きクリアホルダーとして作成することができる。
この時印刷が施されているメガネ部は右目用（ｆ）が青色、左目用（ｇ）が赤色で印刷されている。このメガネ部を通してアナグリフと呼ばれる立体写真技術で撮影された絵柄を印刷された印刷物を見ることにより、絵柄を立体的に見ることができる。
また、メガネ付きクリアホルダー表面（１）の裏面からアナグリフと呼ばれる立体写真技術で撮影された絵柄を印刷された印刷物以外に宣伝広告用の印刷（図示せず）を施すことで、宣伝効果の高いノベルティー商品や販売促進商品等としても使用することができる。
更に、光透過性を有する樹脂材料シートの素材を使用することで印刷デザイン面積を少なくして中に入れている書類を見せることもできる。
このメガネ付きクリアホルダー（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【図１】  本考案の印刷物であるメガネ付きクリアホルダー視図。
【図２】  図１のメガネ付きクリアホルダーの展開図
【図３】  図１のメガネ付きクリアホルダーの切り離されたメガネ部の視図。
【符号の説明】
Ｆ  メガネ付きクリアホルダー
１  メガネ付きクリアホルダーの表面
２  ミシン目
ａ    左辺
ｂ    下辺
ｃ１  右辺
ｃ２  右辺
ｄ    上辺
ｅ    メガネ部
【図１】
0003133771.tif 000003
【図２】
0003133771.tif 000004
【図３】
0003133771.tif 000005
(57)【要約】      （修正有）【課題】安価で手軽で美観を損ねず、症状に応じて強弱の調整もできる花粉症対策の器具を提供する。【解決手段】クリップ３に、メントールを含んだパラフィン等の溶剤２を入れたキャップ型の容器１を取り付ける。このメントール付きクリップを、衣服の襟元等に装着することにより、常温で揮発したメントールの成分が呼吸とともに鼻腔に付着し、花粉症による水鼻や鼻詰まりの症状を緩和する。メントール付きクリップは、複数個を装着する手段や、１個のみを使用して鼻から遠い位置に装着する手段等により、症状に応じた強弱の調整ができる。【選択図】図１
0003133778.tif 000002
【実用新案登録請求の範囲】
【請求項１】
メントールを含んだパラフィン等の溶剤を入れたキャップ型の容器を取り付けた構造を特徴とするクリップ
【考案の詳細な説明】
【技術分野】
【０００１】本考案は、花粉症の症状を緩和する器具に関するものである。
【背景技術】
【０００２】  花粉症の予防や治療、症状の緩和の手段については、空気清浄機、マスク、メントール入りマスク、注射、目薬、薬剤噴霧、塗り薬、飲み薬、飴、メントール入りガム、レーザー治療、針灸など多様なものがある。【０００３】  花粉症は症状に個人差があるのはもちろんであるが、飛散してくる花粉量の日々の変化等によって、同一人でも症状に起伏が生じる。一律の対策では十分な効果が得られないこともあり、反対に強過ぎて害になることもある。【０００４】  強過ぎて害になる具体例としては、花粉アレルギーに対してのショック的反応や、鼻水や目のかゆみが止まっても、乾燥し過ぎの症状がでること等である。【０００５】  したがって、花粉症の症状の個人差や起伏に応じて、強弱が調節できる種類の対策が求められる。
【特許文献１】  特開平９−３２７２６５号公報
【特許文献１】  特開２００３−２８６１７２号公報
【考案の開示】
【考案が解決しようとする課題】
【０００６】    安価で手軽で美観を損ねず、症状に応じて強弱の調整もできる花粉症対策の器具を提供することである。
【課題を解決するための手段】
【０００７】  この課題を解決するための請求項１の考案は、メントールを含んだパラフィン等の溶剤を入れたキャップ型の容器を取り付けた構造を特徴とするところのクリップの考案である。
【考案の効果】
【０００８】    本考案のメントール付きクリップは、顔の近くの位置、具体的には衣服の襟元等に装着することにより、常温で揮発したメントールの成分が呼吸とともに鼻腔に付着し、花粉症による水鼻や鼻詰まりの症状を緩和する効果がある。【０００９】    本考案のメントール付きクリップは、メガネのフレームに装着することにより、花粉症による目のかゆみの症状を緩和する効果がある。【００１０】  本考案のメントール付きクリップは、複数個を装着することにより、効果を強めることができる。反対に、１個のみを使用して鼻や目から遠い位置に装着することにより効果を弱めることができる。したがって、花粉症の症状の個人差や症状の起伏に応じた強弱の調整が容易にできる。
【実施例１】
【００１１】    図１は、本考案のメントール付きクリップの１実施例の平面図である。図２はその側面図であり、、図３はキャップ型の容器１の断面図である。
【実施例２】
【００１２】    本考案のメントール付きクリップを、衣服の襟元に装着する。
【実施例３】
【００１３】    本考案のメントール付きクリップをメガネのフレームに装着する。
【実施例６】
【００１４】    本考案のメントール付きクリップを、寝具に装着する。
【産業上の利用可能性】
【００１５】  本考案の器具は小型軽量で携帯に便利である。公共の場でも気軽に着脱できるので、花粉症の症状に合わせた強弱の調整が容易にできる。花粉症では仕事も余暇も思うようにいかない。本考案が早期に流布されることにより、５人に１人とも言われる花粉症者の負担を軽減し、もって社会経済活性の一助となることが期待される。
【図面の簡単な説明】
【００１６】
【図１】    本考案のメントール付きクリップの１実施例の平面図である。（実施例１）
【図２】    本考案のメントール付きクリップの１実施例の側面図である。
【図３】    本考案のメントール付きクリップの１実施例の、メントールを含んだパラフィン等の溶剤が入ったキャップ型容器１の断面図である。
【図４】    本考案のメントール付きクリップを衣服の襟元に装着した使用例を示す説明図である。
【図５】    本考案のメントール付きクリップをメガネのフレームに装着した使用例を示す説明図である。
【図６】    本考案のメントール付きクリップを寝具に装着した使用例を示す説明図である。
【符号の説明】
【００１７】    １  キャップ型容器
２  メントールを含んだパラフィン等の溶剤
３  クリップ
４  クリップの板バネ
５  本考案のメントール付きクリップ
６  本考案のメントール付きクリップ
７  本考案のメントール付きクリップ
【図１】
0003133778.tif 000003
【図２】
0003133778.tif 000004
【図３】
0003133778.tif 000005
【図４】
0003133778.tif 000006
【図５】
0003133778.tif 000007
【図６】
0003133778.tif 000008
(57)【要約】      （修正有）【課題】地下燃料油タンク等の漏洩検査時に配管開口部が１カ所しかとれない場合でも正確な計測を行う。【解決手段】検査用密閉具内部に配管を設置しその一端を検査口とし、主管上部付近に設置された減加圧口をイジェクター等の減圧装置や窒素充填装置と接続し、検査口と減加圧口を治具内部で分離することにより空気の流れが引き起こすピトー管効果を抑止し本来の空間圧力をより正しく計測することが可能となり効率的な検査を行う。【選択図】図１
0003133777.tif 000002
【実用新案登録請求の範囲】
【請求項１】
配管内に挿入してその配管を密栓し、その栓に挿通させる管体より、気体を通過させて気圧変化を測定する漏洩検査治具であって、
一端は開き多端は閉じている外管と、
膨張収縮自在で膨張により被測定管を密栓する密栓手段を有し、
外管に挿通され両端が開口している中通し管と、
外管の上部側面に開口形成した気圧調整口と、
中通し管の上端に計測器もしくはマノメータを接続する計測器取付部部と
を備えた中配管式漏洩検査用治具。
【考案の詳細な説明】
【技術分野】
【０００１】  本考案は地下タンク等漏洩検査において気相部において接続する計測並びに加圧減圧用配管開口部が一カ所しかないときに非破壊検査をより正しく行うための密閉器具に関する。
【背景技術】
【０００２】  従来この種の密閉具は検査口と加減圧口の検査対象空間内での各先端が十分離れていないことや計測口と加減圧口につながる各空間が構成する形状により、計測の際の加減圧時の空気流が引き起こすピトー管効果のために、わずかな気圧変化を加えても計測値が急激な変化をきたし、正しい計測が困難な状況であった。【０００３】  大気圧のおよそ４％程度の減圧、あるいは大気圧の２％前後の加圧であっても、特にキロリットル単位の気相部を計測対象として減加圧を行えば密閉具内の小さな空間内で大量の空気の移動が起こり、そのためにおこるピトー管効果により大きく計測値が変化する。このような場合多くは設備内の離れた別の場所に検査対象空間に接続された計測口あるいは加圧減圧口を開口部として設置する必要があり、非効率であった。
【考案の開示】
【考案が解決しようとする課題】
【０００４】  本考案は開口部が複数箇所とれない場合の地下タンク等漏洩検査における気相部の検査を正しく行うために要求される技術的課題を解決する目的を有する。
【課題を解決するための手段】
【０００５】  配管内に挿入してその配管を密栓し、その栓に挿通させる管体より、気体を通過させて気圧変化を測定するする際用いる漏洩検査治具であって、
一端は開き多端は閉じている外管と、
膨張収縮自在で膨張により被測定管を密栓する密栓手段を有し、
外管に挿通され両端が開口している中通し管と、
外管の上部側面に開口形成した気圧調整口と、
中通し管の上端に計測器もしくはマノメータを接続する計測器取付部部と
を備えた中配管式漏洩検査用治具。
この構成により検査対象タンク及び配管構造物の開口部一カ所からの加圧減圧操作と気圧変化計測とを同時に行うことを可能にした。
【考案の効果】
【０００６】  計測口と加減圧口が同一方向をむきさらに内部に設置された内部配管により延長された計測口が測定空間内部のより深部に入り込む形になるため、加減圧の際の空気流の影響を受けず適正な計測が可能となった。
【考案を実施するための最良の形態】
【０００７】  密閉具先端ゴム器部分を対象配管内に配管中心にそって平行に挿入しゴム器全体が挿入されたところで図１の７の締め付け金具を操作し１４のストッパーと締め付け用外管部上端との距離を調整しその応力により１３のゴム器を膨張させ被測定外管内側に密着させ密栓し、環境大気圧に比して微加圧微減圧を行いその後の対象空間の圧力変化を一定時間観察記録する。
【図面の簡単な説明】
【０００８】
【図１】中配管方式漏洩検査用治具を示した断面図である。
【符号の説明】
【０００９】  １    マノメーター及び計測器接続口
２    接続口固定用ねじ部
３    配管固定用ニップル館
４    Ｔ字管つき計測管
５    加圧あるいは減圧のための気圧調整口
６    主管計測管接続用ネジ部
７    締付用金具
８    ワッシャー
９    締付用外側管部先端
１０  計測用中配管
１１  締付用外側管
１２  締付用外側管に固定された応力伝達板
１３  密閉用ゴム器
１４  ストッパー
１５  気圧調整口
１６  計測口
【図１】
0003133777.tif 000003
(57)【要約】      （修正有）【課題】磁気ネックレスは磁気玉以外の装飾部分にメスの留金を何ヶ所かつけることにより、患者の一番コリのひどい部分に合わせて磁気を帯びさせる事が出来る。今までは首周りだけだったが、長さによっては腰の方まで磁気を届かせることも可能。ジョイントの両方にオスの留金をつければ、Ｕ字に垂らす事も可能。【解決手段】背中に垂らすだけだと動いているうちに磁石がくっついてしまい不便なので垂らすパーツの方の軸には基本的に形状記憶可能な糸を用いる。形状記憶の糸と普通の糸と２種類の垂らしパーツを準備すれば好みに合わせて使う事が可能。【選択図】図１
0003133728.tif 000002
【実用新案登録請求の範囲】
【請求項１】
磁気ネックレスのデザイン。
【請求項２】
留金の位置。
【請求項３】
留金の形状。（両サイドに留め部分をつけるのは初めて）
【請求項４】
ネックレスに通す糸の種類。
【請求項５】
胸部には下着に留める為にピンをつける。（後ろに引っ張られないように）
【考案の詳細な説明】
【技術分野】磁気ネックレスの効果範囲を広げる。
【背景技術】今までは首の近くの肩こりにだけ効果的だったが、背中、腰、肩甲骨にも磁気が届くようにした。
【考案の開示】
【考案が解決しようとする課題】今までの磁気ネックレスでは首の周囲しかコリがほぐれなかったが、これで背中のいたるところをほぐす事が可能。
【課題を解決する為の手段】
磁気ネックレスの留金を増やし、可変ジョイント可能にする。
【発明の効果】
各人のコリの部位に応じて、磁気が当たる位置を自由に変えられる。
【考案を実施するための最良の形態】ジョイント部分の加工のみ。
【実施例】ジョイントを長くすれば腰痛にも効果的。
【産業上の利用可能性】簡単に出来るので利用可能性は高い。
【図面の簡単な説明】背中に磁気の粒を垂らした状態。
【図１】「ネックレスの全体と留金の形状」
【図２】「背中から見た図」
【図１】
0003133728.tif 000003
【図２】
0003133728.tif 000004
【手続補正書】
【提出日】平成18年10月17日(2006.10.17)
【手続補正１】
【補正対象書類名】実用新案登録請求の範囲
【補正対象項目名】全文
【補正方法】変更
【補正の内容】
【実用新案登録請求の範囲】
【請求項１】
ジョイント可能な磁気ネックレス
【請求項２】
留金を周囲５ヶ所に設けた事を特徴とする請求項１記載の磁気ネックレス
【手続補正書】
【提出日】平成19年1月11日(2007.1.11)
【手続補正１】
【補正対象書類名】実用新案登録請求の範囲
【補正対象項目名】全文
【補正方法】変更
【補正の内容】
【実用新案登録請求の範囲】
【請求項１】
通常の磁気ネックレスに約５ｃｍ間隔で磁気玉の開に「丸穴状の接続部（メス）」を設け、ジョイントする側の両サイドには「丸い突起部（オス）」を設け、「丸穴状の接続部」に「丸い突起部」をはめ込みむ事で首周囲の好きな場所にはめ込み可能とする。よって肩甲骨周辺にも磁気を帯びさせコリをほぐす効果を得る事が出来る。
【手続補正書】
【提出日】平成19年4月11日(2007.4.11)
【手続補正１】
【補正対象書類名】実用新案登録請求の範囲
【補正対象項目名】全文
【補正方法】変更
【補正の内容】
【実用新案登録請求の範囲】
【請求項１】
磁気ネックレスに約５ｃｍ間隔で磁気玉の間に「丸穴状の接続部」を設けジョイントする側の両端には「丸い突起部」を設け、「丸穴状の接続部」にジョイント部の両端をはめ込み首から背中に垂らし磁気を帯びさせ肩甲骨のコリをほぐす効果を持つジョイント式磁気ネックレス。
(57)【要約】【課題】顎提の吸収量及び、吸収部分は個人差があり、同一口腔内においても左右前後違いがある。加え術者によっても大臼歯部想定位置に個人差があるので上顎顎提模型大臼歯部の高径を平均値で設定しても狂いが生じる。製作法も簡便ではない。エッジ付き咬合平面プレートは、兆番運動のみで築盛したワックスブロックをスライド形成する事が出来ない。しかも総義歯のみの対応で、部分床義歯である両側遊離端義歯に対応する事は不可能である。【解決手段】左右翼突上顎切痕に上顎咬合高径平均値設定用バーを仮接着する。その際、熱伝導性の低い材質を使用し、咬合平面プレートの操作時ガイドとする。部分床咬合提などの場合、模型から取り外しての操作がする。【選択図】図１
0003133727.tif 000002
【実用新案登録請求の範囲】
【請求項１】
左右翼突上顎切痕に上顎咬合高径平均値設定用バーを仮接着する。その際、熱伝導性の低い材質を使用し、咬合平面プレートの操作時ガイドとすること。
【請求項２】
部分床咬合提などの場合、模型から取り外しての操作が可能であること。
【考案の詳細な説明】
【技術分野】
【０００１】本考案は義歯を製作するための上顎咬合提に関する。
【背景技術】
【０００２】喪失した歯列位置を想定し、上顎顎提大臼歯部分の高径を計り平均値にて制作する。または、左右翼突上顎切痕は骨吸収による変位が起こりにくい事から、平均値径のエッジ付き咬合平面プレートを用い、エッジを左右翼突上顎切痕に合わせ、ワックスブロックによる歯列弓を上から押し当てる方法。
【考案の開示】
【考案が解決しようとする課題】
【０００３】顎提の吸収量、及び吸収部分は個人差があり、同一口腔内においても左右前後違いがある。
加え術者によっても大臼歯部想定位置に個人差があるので、上顎顎提模型大臼歯部の高径を平均値で設定しても狂いが生じる。製作法も簡便ではない。
エッジ付き咬合平面プレートは、兆番運動のみで築盛したワックスブロックをスライド形成する事が出来ない。しかも総義歯のみの対応で、部分床義歯である両側遊離端義歯に対応する事は不可能である。
【課題を解決するための手段】
【０００４】左右翼突上顎切痕に上顎咬合高径平均値設定用バーを仮接着する。その際、熱伝導性の低い材質を使用し、咬合平面プレートの操作時ガイドとすること。
部分床咬合提などの場合、模型から取り外しての操作がする。
【考案の効果】
【０００５】上顎咬合高径平均値を簡単に設定でき、広く普及している従来の咬合平面プレートを用いスライド形成が出来る。総義歯のみならず部分床義歯である両側遊離端義歯に対応する事が可能になる。
【考案を実施する為の最良の形態】
【０００６】上顎咬合提製作において仮床製作後左右翼突上顎切痕部分をＵ字型に切り取る。ワックスブロックを予測咬合高径よりも高めに形成する。前歯部においては上顎模型の歯肉唇移行部から平均値を計りマークする。臼歯部においては、ワックスなどを用い上顎臼歯部咬合高径平均値設定用バーを、仮床の顎提に対しほぼ垂直に仮接着する。その後、咬合平面プレートにより、前歯部のマークと、上顎臼歯部咬合高径平均値設定用バーのガイドによりスライド形成する。部分床の場合は、最後前歯もしくは最後臼歯の高径をワックスにマークする。上顎臼歯部咬合高径平均値設定用バーを仮接着した状態のまま、部分床咬合提を模型から取り外す。マークと上顎臼歯部咬合高径平均値設定用バーのガイドによりスライド形成する。完成後上顎臼歯部咬合高径平均値設定用バーをはずし模型に戻す。
【図面の簡単な説明】
【図１】本考案における上顎全部床咬合提の一形態を示す図である。上顎咬合提を咬合面が上方を向いた状態で示している。
【図２】本考案における上顎全部床咬合提の一形態を示す図である。上顎咬合提を咬合面が上方を向き、前方の状態を示している。
【図３】本考案における上顎全部床咬合提の製作法を示す図である。
【図４】本考案における上顎部分床咬合提の一形態を示す図である。上顎咬合提を咬合面が上方を向いた状態で示している。
【符号の説明】
ａ−上顎臼歯部咬合高径平均値設定用バー
ｂ−翼突上顎切痕
ｃ−パラフィンワックスによる全部床バイトブロック
ｄ−上顎全部床模型
ｅ−前歯部における咬合高径の平均値。
ｆ−歯肉唇移行部
ｇ−ノギス
ｈ−咬合平面プレート
ｉ−パラフィンワックスによる部分床バイトブロック
ｊ−最後前歯もしくは最後臼歯の高径のマーク。
【図１】
0003133727.tif 000003
【図２】
0003133727.tif 000004
【図３】
0003133727.tif 000005
【図４】
0003133727.tif 000006
【手続補正書】
【提出日】平成18年9月14日(2006.9.14)
【手続補正１】
【補正対象書類名】実用新案登録請求の範囲
【補正対象項目名】全文
【補正方法】変更
【補正の内容】
【実用新案登録請求の範囲】
【請求項１】
平行な直線を有し、熱伝導性の低い材質の棒又は板（ａ）で、咬合床に仮着可能な特徴を持つ、上顎咬合高径平均値設定器具。
【手続補正書】
【提出日】平成19年1月13日(2007.1.13)
【手続補正１】
【補正対象書類名】実用新案登録請求の範囲
【補正対象項目名】全文
【補正方法】変更
【補正の内容】
【実用新案登録請求の範囲】
【請求項１】
熱伝導性の低い材質の棒又は長方形状の板（ａ）で、咬合床に仮着可能な特徴を持つ、上顎咬合高径平均値設定器具。
(57)【要約】【目的】介護用品として使用し、老齢者や要介護者に供する。【構成】従来、別々に使用されていた取っ手と椅子を一体化する為に、取っ手と本体を兼用として（Ａ）それに着座面（Ｂ）を取り付け一体化し、壁面取り付け可能とした物である。【選択図】図３
0003133743.tif 000002
【実用新案登録請求の範囲】
【請求項１】
取っ手と着座部が一体になった椅子
【請求項２】
折り畳めること
【請求項３】
着座部のストッパーの構造
【請求項４】
壁面に取り付け可能なこと
【考案の詳細な説明】
【考案の簡単な説明】
【産業上の利用分野】
【０００１】この考案は、取っ手と着座部を一体にした、折り畳み式の椅子で、マンションの狭い玄関や、病院等の廊下の壁面等に取り付け使用する、高齢者あるいは介護者用の、補助椅子である。
【背景技術】
【０００２】従来、取っ手は取っ手、着座部は着座部と、別々にセットされて用に供した。
【考案者が解決しようとする課題】
【０００３】取っ手と着座部を一体化することによって、狭い場所でも使いやすく、軽量コンパクト、取り付けも簡単、体裁も良く不要時には、折り畳み邪魔にならない。
【問題を解決する為の手段】
【０００４】取っ手と着座部を、本体の枠に取り付けて一体化する。
【考案の効果】
【０００５】この考案により、使いやすい、軽量コンパクト、取り付けも簡単、体裁もよく不要時に邪魔にならない補助椅子が出来る。
【図面の簡単な説明】図面１の（３）において取っ手兼用の本体枠（Ａ）に着座部（Ｂ）を、支点ピン（Ｄ）にて取り付け、（Ｆ）の矢印のように可動とする。（１）（２）は着座部を収納した状態を、（３）（４）は使用時を図示したもので、着座部を引き降ろすと、座面（Ｂ）はストッパー（Ｅ）と（Ｄ）の作用により、固定される。
【符号の説明】
（Ａ）取っ手（手摺り）兼用の本体枠  （Ｂ）着座部  （Ｃ）本考案を壁面に取り付ける為の穴  （Ｄ）支点  （Ｅ）着座部のストッパー（固定部）  （Ｆ）可動方向
0003133743.tif 000003
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
折り畳めて、使用時に着座部の支持固定が簡単な構造で、壁面に取り付け可能な特徴を有する、取っ手と着座部が一体になった椅子
【手続補正２】
【補正対象書類名】明細書
【補正対象項目名】全文
【補正方法】変更
【補正の内容】
【考案の詳細な説明】
【産業上の利用分野】
【０００１】此の考案は、取っ手と着座部を一体にした、折りたたみ式の椅子で、マンションの狭い玄関や、病院等の廊下の壁面に取り付け使用する、高齢者あるいは介護者用の補助椅子である。
【背景技術】
【０００２】従来、取っては取っ手、着座部は着座部として、別々に取り付け用に供した。
【考案者が解決しようとする課題】
【０００３】取っ手と着座部を一体化することによって、狭い場所でも使いやすく、軽量コンパクトで取り付けも簡単、不要時には折り畳みが出来て邪魔にならない。
【問題を解決する為の手段】
【０００４】取っ手と着座部を、本体の枠に取り付けて一体化する。
【考案の効果】
【０００５】此の考案により、軽量コンパクトで取り付けも簡単、而も不要時に邪魔にならない補助椅子が出来る。
【図面の簡単な説明】
【０００６】
【図１】は、本考案の着座部を収納した状態を示す実体図。
【図２】は、本考案の着座部を収納した状態を示す図。
【図３】は、本考案の使用時を示した実体図。
【図４】は、本考案の使用時を示した図。
0003133743.tif 000004
【符号の説明】
【０００７】（Ａ）  取っ手（手摺り）兼用の本体枠
（Ｂ）  着座部
（Ｃ）  本考案を壁面に取り付けるための穴
（Ｄ）  支点ピン
（Ｅ）  着座部を支持固定する為の本体枠
（Ｆ）  着座部の可動方向
【手続補正３】
【補正対象書類名】図面
【補正対象項目名】全図
【補正方法】変更
【補正の内容】
【図１】
0003133743.tif 000005
【図２】
0003133743.tif 000006
【図３】
0003133743.tif 000007
【図４】
0003133743.tif 000008
(57)【要約】【課題】  ウレタンのマットレスは柔らかい材質の為、体を横にした時にウレタンの中に体が沈み込む、その結果身体に圧迫感が生じ、長時間利用することで脊髄が曲がり負担となり、脊髄に悪い影響を与える。【解決手段】    上の層の通気性のある硬いウレタンで体の体重を受けた時、体は沈まず体を支える、中間層にある密度の高い、通気性のある柔らかい形状記憶性ウレタンは体上の層の体の重量負荷を吸収・分散、下の層の通気性のある硬いウレタンで全体を支え且つ下からの反発力を軽減する。その結果脊髄への負荷を軽減できる。【選択図】図２
0003133748.tif 000002
【実用新案登録請求の範囲】
【請求項１】
マットレスの構造改良につき、密度の高い通気性のある硬いウレタンを上の層、密度の高い通気性のある柔らかい形状記憶性ウレタンを中間層とし、密度の高い通気性のある硬いウレタンを下の層とした三層構造を特徴とする。
【請求項２】
実用新案申請の範囲の第一項のマットレスの構造改良において、上の層、中間層、下の層の三層構造では硬いウレタン・柔らかいウレタン・硬いウレタンの順序で配列を維持、三層以上でも同じように配列順序で組み合わせるを特徴とするマットレス。
【請求項３】
実用新案申請の範囲の第一項のマットレスの構造改良において、各層の厚さがそれぞれ異なったものの構成を特徴とするマットレス。
【考案の詳細な説明】
【技術分野】
【０００１】  上の層に密度の高い、通気性のある硬いウレタン、中間層に密度の高い、通気性のある柔らかい形状記憶性ウレタン、下の層に密度の高い、通気性のある硬いウレタンの三層構造になっており、上の層の通気性のある硬いウレタンは体の体重を受けた時、体は沈まず体を支え、中間層にある密度の高い、通気性のある柔らかい形状記憶性ウレタンは上の層の負荷を吸収、分散させる。更に下の層の通気性のある硬いウレタンで全体を支える。
【背景技術】
【０００２】  世にある形状記憶性ウレタンのマットレスは柔らかい材質の為、体を横にした時にウレタンの中に体が沈み込む。その結果身体に圧迫感を、且つ長時間に使用することで脊髄が曲がり負担となり、悪い影響を与える。
【考案の開示】
【考案が解決しようとする課題】
【０００３】  体が沈んでしまうことにより、体に圧迫感を与え、同時に脊髄が曲がり負担がかかり、脊髄に悪い影響を与える。
【課題を解決するための手段】
【０００４】  上の層に密度の高い、通気性のある硬いウレタン、中間層に密度の高い、通気性のある柔らかい形状記憶性ウレタン、下の層に密度の高い、通気性のある硬いウレタンの三層構造とする。このような配列方法おいて、三層または三層以上では硬いウレタン・柔らかいウレタン・硬いウレタンの順序とする。これによりマットレスに体が沈まず、体の重量負荷を吸収・分散、それを下の層で支え且つ下からの反発力を緩和する。
【考案の効果】
【０００５】  上の層の通気性のある硬いウレタンで体の体重を受けるが、体は沈まず体を支え、中間層にある密度の高い、通気性のある柔らかい形状記憶性ウレタンは上の層の重量負荷を受け、吸収・分散、更に下の層の通気性のある硬いウレタンでに全体を受けとめる。これは上の層で体全体を面で受け、更に中間層で体の重量負荷を吸収・分散、それを下の層で支え且つ下からの反発力を軽減、この結果脊髄への負担を軽減させ、快適な睡眠を得ることができる。
【考案を実施するための最良の形態】
【０００６】    〔図１〕〔図２〕が示すように、基本的に三層とし、それぞれ通気性のある硬いウレタン１・柔らかい形状記憶性ウレタン２・通気性のある硬いウレタン３の順で組み合わせる。この為使用上上下は反対にしても使用可能です。製作の必要により厚さ１５ｃｍのマットレスを製作する時、例えば〔図１〕〔図２〕が示すように、三層の厚さは全て同じ厚さとし、厚さ５ｃｍの密度が高い、通気性のある硬いウレタン１を上の層に、厚さ５ｃｍの密度の高い、通気性のある柔らかい形状記憶性ウレタン２を中間の層に、密度の高い、通気性のある硬いウレタン３を下の層とする構造に。これにより製作の必要により厚さ２１ｃｍのマットレスを製作する時、例えば〔図２〕が示すように、三層の厚さは全て同じ厚さとし、厚さ７ｃｍの密度が高い、通気性のある硬いウレタン１を上の層に、厚さ７ｃｍの密度の高い、通気性のある柔らかい形状記憶性ウレタン２を中間の層に、厚さ７ｃｍの密度の高い、通気性のある硬いウレタン３を下の層とする構造に。当然構造上３層とも異なる厚さを組合せた構造とすることもできる。同時に構造上の配列は３層に限定せず、４層又は５層以上配列も可能である。（図３）構造上の配列は最上の層に通気性のある硬いウレタン１、その下は通気性のある柔らかい形状記憶性ウレタン２、その下の配列は通気性のある硬いウレタン３とする。三層以上は（通気性のある硬いウレタン１・柔らかい形状記憶性ウレタン２・通気性のある硬いウレタン３）の配列順序を守り、その厚さを変えた構造もできる。
【図面の簡単な説明】
【０００７】
【図１】本考案の分解図
【図２】本考案の構造図
【図３】本考案の他の組合せ構造図
【符号の説明】
【０００８】  １    本考案マットレスの上の層
２    本考案マットレスの中間層
３    本考案マットレスの下の層
【図１】
0003133748.tif 000003
【図２】
0003133748.tif 000004
【図３】
0003133748.tif 000005
【手続補正書】
【提出日】平成19年5月18日(2007.5.18)
【手続補正１】
【補正対象書類名】実用新案登録請求の範囲
【補正対象項目名】請求項１
【補正方法】変更
【補正の内容】
【請求項１】
密度の高い通気性のある硬いウレタンを上の層、密度の高い通気性のある柔らかい形状記憶性ウレタンを中間層とし、密度の高い通気性のある硬いウレタンを下の層とした三層構造を特徴とするマットレス。
【手続補正２】
【補正対象書類名】実用新案登録請求の範囲
【補正対象項目名】請求項２
【補正方法】変更
【補正の内容】
【請求項２】
請求項１記載のマットレスにおいて、上の層、中間層、下の層の三層構造では硬いウレタン・柔らかいウレタン・硬いウレタンの順序で配列を維持、三層以上でも同じように配列順序で組み合わせるを特徴とするマットレス。   
【手続補正３】
【補正対象書類名】実用新案登録請求の範囲
【補正対象項目名】請求項３
【補正方法】変更
【補正の内容】
【請求項３】
請求項１記載のマットレスにおいて、各層の厚さがそれぞれ異なったものの構成を特徴とするマットレス。
(57)【要約】  導尿バッグを使用している患者が病室を離れる際、第三者に中身の見える導尿バッグを見られるという精神的苦痛が考えられる。防菌加工を施した布（不織布・紙等を含む）を導尿バッグに被せることで、他人の目に晒すことなく常に携帯できる。尚且つ病室においてはカバーを外すことなく、カバー前方切込み垂れ幕を捲っておくだけで常時採尿量の確認ができて、処理もできる導尿バッグカバーを提供する。【解決手段】  携帯するときはカバーですべてを覆ってしまう。病室内などでは垂れ幕２を捲り、後ろ側に掛けておくことでカバーの窓口ができ、そこから採尿量を常時確認できると共に処理もできる。【選択図】図２
0003133759.tif 000002
【実用新案登録請求の範囲】
【請求項１】
導尿バッグを第三者の目から庇護し、かつ採尿量や処理ができる、防菌加工された布（不織布・紙等を含む）からなる導尿バッグのカバー。
【考案の詳細な説明】
【０００１】  導尿バッグのお出かけ安心カバー
【技術分野】
【０００２】本考案は、布（不織布・紙等を含む）からなる導尿バッグのカバーに関する。
【背景技術】
【０００３】  導尿バッグを使用している入院患者が病室などを離れる時、中身の見える導尿バッグを携帯することで、他人の目が気になり精神的苦痛を感じてことが有り得る。
【考案の開示】
【考案が解決しょうとする課題】
【０００４】  導尿バッグを使用している患者が病室を離れるとき、他人の目を気にしないで導尿バッグを携帯できる。尚且つ、病室では常時採尿量が確認でき、処理もできる。
【考案が解決するための手段】
【０００５】  本考案は防菌加工を施した布（不織布・紙等含む）で出来たカバーを導尿バッグに被せることで、他人の目に晒すことなく常に携帯できる。よって、中身の見える導尿バッグを持ち歩くという精神的苦痛を軽減させることができ、尚且つ病室においてはカバーを外すことなく、垂れ幕を捲っておくだけで常時採尿量の確認及び処理ができる。これらにより、上記の課題を解決するものである。
【考案の実施の形状】
【０００６】  図１に示すように導尿バッグの大きさに合わせた防菌加工されたカバーの前面に２ヶ所切り込みを入れ、垂れ幕２を作っておく。携帯する時はカバーで覆ったまま利用する。病室内では図２が示すように垂れ幕２をカバー後方に捲り上げておくことで採尿量を常時確認でき、処理もできる。
【考案の効果】
【０００７】  本考案に係るお出かけ安心カバーを導尿バッグにかけることで、他人の目に晒される事がなくなり、精神的苦痛が軽減される。又、カバーをその都度外さなくても、垂れ幕を捲り上げるだけで、採尿量の確認や処理ができる。さらに、このカバーは防菌加工されており衛生的で、安価であり、またいろいろな模様や柄を入れることにより携帯しても違和感がなく、実用性に優れたものである。
【図面の簡単な説明】
【０００８】
【図１】本考案に係る防菌加工された布（不織布・紙等含む）で、導尿バッグの大きさに合わせたカバーである。前方に２ヶ所切り込みを入れ垂れ幕２としている。
【図２】本考案に係るカバーを導尿バッグにかけ、垂れ幕２を後ろ側に捲り上げた図である。
【符号の説明】
【０００９】  １  導尿バッグカバー
２  垂れ幕部分
３  フック穴
４  導尿チューブ穴
５  ハンガーハンド穴
６  通気フィルター
７  導尿チューブ
８  導尿バッグ
９  ハンガーハンド
【図１】
0003133759.tif 000003
【図２】
0003133759.tif 000004
【手続補正書】
【提出日】平成19年5月10日(2007.5.10)
【手続補正１】
【補正対象書類名】明細書
【補正対象項目名】全文
【補正方法】変更
【補正の内容】
【考案の詳細な説明】
【技術分野】
【０００１】本考案は、布（不織布・紙等を含む）からなる導尿バッグのカバーに関する。
【背景技術】
【０００２】  導尿バッグを使用している入院患者が病室などを離れる時、中身の見える導尿バッグを携帯することで、他人の目が気になり精神的苦痛を感じてことが有り得る。
【考案の開示】
【考案が解決しょうとする課題】
【０００３】  導尿バッグを使用している患者が病室を離れるとき、他人の目を気にしないで導尿バッグを携帯できる。尚且つ、病室では常時採尿量が確認でき、処理もできる。
【考案が解決するための手段】
【０００４】  本考案は防菌加工を施した布（不織布・紙等含む）で出来たカバーを導尿バッグに被せることで、他人の目に晒すことなく常に携帯できる。よって、中身の見える導尿バッグを持ち歩くという精神的苦痛を軽減させることができ、尚且つ病室においてはカバーを外すことなく、垂れ幕を捲っておくだけで常時採尿量の確認及び処理ができる。これらにより、上記の課題を解決するものである。
【考案の実施の形状】
【０００５】  図１に示すように導尿バッグの大きさに合わせた防菌加工されたカバーの前面に２ヶ所切り込みを入れ、垂れ幕２を作っておく。携帯する時はカバーで覆ったまま利用する。病室内では図２が示すように垂れ幕２をカバー後方に捲り上げておくことで採尿量を常時確認でき、処理もできる。
【考案の効果】
【０００６】  本考案に係るお出かけ安心カバーを導尿バッグにかけることで、他人の目に晒される事がなくなり、精神的苦痛が軽減される。又、カバーをその都度外さなくても、垂れ幕を捲り上げるだけで、採尿量の確認や処理ができる。さらに、このカバーは防菌加工されており衛生的で、安価であり、またいろいろな模様や柄を入れることにより携帯しても違和感がなく、実用性に優れたものである。
【図面の簡単な説明】
【０００７】
【図１】本考案に係る防菌加工された布（不織布・紙等含む）で、導尿バッグの大きさに合わせたカバーである。前方に２ヶ所切り込みを入れ垂れ幕２としている。
【図２】本考案に係るカバーを導尿バッグにかけ、垂れ幕２を後ろ側に捲り上げた図である。
【符号の説明】
【０００８】    １  導尿バッグカバー
２  垂れ幕部分
３  フック穴
４  導尿チューブ穴
５  ハンガーハンド穴
６  通気フィルター
７  導尿チューブ
８  導尿バッグ
９  ハンガーハンド